【手続補正書】
【提出日】平成16年11月16日(2004.11.16)
【手続補正１】
【補正対象書類名】明細書
【補正対象項目名】全文
【補正方法】変更
【補正の内容】
【書類名】      明細書
【発明の名称】  バイパスモータアセンブリ及びモータファンアセンブリ
【特許請求の範囲】
【請求項１】
バイパスモータアセンブリにおいて、回転可能なシャフトを有するモータと、前記シャフトに取着されている作動空気ファンと、取入れ穴及び少なくともひとつの排出穴を有するシュラウドと、前記シャフトが貫通して延びるシャフト穴を有するエンドブラケットとを包含し、前記エンドブラケットと前記シュラウドとが前記作動空気ファンを部分的に囲み、前記作動空気ファンの回転が空気を前記取入れ穴を通して吸い込んで、前記少なくともひとつの排出穴を通して排出し、かつ前記エンドブラケットが前記作動空気ファンを受け入れるファンチャンバを形成する複数のベーンを有し、前記作動空気ファンにより放出された空気が前記ベーンにより前記少なくともひとつの排出穴に向かうように再指向されるようにしたバイパスモータアセンブリ。
【請求項２】
請求項１記載のバイパスモータアセンブリにおいて、前記エンドブラケットが下向きに傾斜する肩部を有すると共に、前記ベーンの各々が前記傾斜肩部に沿って半径方向に延びる後端を有し、かつ前記ベーンがそれらの間にチャンバを形成すると共に、前記後端と前記シュラウドとがそれらの間に集合チャンバを形成し、この集合チャンバで作動空気が前記少なくもひとつの排出穴を出る前に集合するようにしたバイパスモータアセンブリ。
【請求項３】
請求項２記載のバイパスモータアセンブリにおいて、前記ベーンの各々が前記前端から前記後端にまで延びる頂部縁を有し、前記シュラウドが前記頂部縁の少なくとも一部分と接触して前記チャンバの各々の少なくとも一部分を囲むようにしたバイパスモータアセンブリ。
【請求項４】
請求項１記載のバイパスモータアセンブリにおいて、前記シュラウドがそのまわりに分配された複数の排出穴を有しているバイパスモータアセンブリ。
【請求項５】
請求項１記載のバイパスモータアセンブリにおいて、前記シュラウドが単一の接線排出穴を有しているバイパスモータアセンブリ。
【請求項６】
請求項５記載のバイパスモータアセンブリにおいて、前記複数のベーンの各々が前記シュラウドと一緒に集合チャンバを形成する後端を有し、前記集合チャンバが前記接線排出穴に向かって対数的に拡大しているバイパスモータアセンブリ。
【請求項７】
モータファンアセンブリにおいて、回転可能なシャフトが貫通しているエンドブラケットと、取入れ穴及び複数の排出穴を有している共に前記エンドブラケットを囲んでいるシュラウドと、前記回転可能なシャフトに接続されていると共に前記エンドブラケットと前記シュラウドとの間に回転可能に受け入れられ、かつ前記取入れ穴と整列しているファン穴を有している作動空気ファンと、前記シュラウドと前記作動空気ファンとの間に設置されて、前記取入れ穴から前記ファン穴への作動空気の流れを最大にするようにする空気取入れ口シールとを包含しているモータファンアセンブリ。
【請求項８】
請求項７記載のモータファンアセンブリにおいて、前記空気取入れ口シールが前記取入れ穴のまわりに取着されたカラーを包含し、このカラーが前記ファン穴内に延びるフィンガを有しているモータファンアセンブリ。
【請求項９】
請求項７記載のモータファンアセンブリにおいて、前記空気取入れ口シールが前記シュラウドの下側部及び前記取入れ穴のまわりに取着されたシールリングを包含し、このシールリングが前記シュラウドの下側部と前記作動空気ファンとの間の隙間を最小にするようにしたモータファンアセンブリ。
【請求項１０】
請求項９記載のモータファンアセンブリにおいて、前記シールリングが発泡ポリ四フッ化エチレンであるモータファンアセンブリ。
【請求項１１】
バイパスモータアセンブリにおいて、回転可能なシャフトを有するモータと、前記シャフトに取着されている作動空気ファンと、取入れ穴及び少なくともひとつの排出穴を有するシュラウドと、前記回転可能なシャフトが貫通して延びるシャフト穴を有するエンドブラケットとを包含し、前記エンドブラケットと前記シュラウドとが前記作動空気ファンを部分的に囲み、前記作動空気ファンの回転が空気を前記取入れ穴を通して吸い込んで、前記少なくともひとつの排出穴を通して排出し、かつ前記エンドブラケットが前記作動空気ファンから前記少なくともひとつの排出穴に向かって下向き外方に離れるように傾斜する複数のベーンを有しているバイパスモータアセンブリ。
【請求項１２】
請求項１１記載のバイパスモータアセンブリにおいて、前記ベーンはこれらのベーンが前記少なくともひとつの排出穴に近づくにつれて徐々に拡大する通路を形成しているバイパスモータアセンブリ。
【請求項１３】
バイパスモータアセンブリにおいて、回転可能なシャフトを有するモータと、前記シャフトに取着されている作動空気ファンと、取入れ穴及び少なくともひとつの排出穴を有するシュラウドと、前記回転可能なシャフトが貫通して延びるシャフト穴を有するエンドブラケットとを包含し、前記エンドブラケットと前記シュラウドとが前記作動空気ファンを部分的に囲み、前記作動空気ファンの回転が空気を前記取入れ穴を通して吸い込んで、前記少なくともひとつの排出穴を通して排出し、かつ前記エンドブラケットが前記作動空気ファンから前記少なくともひとつの排出穴に向かって下向き外方に離れるように傾斜する複数の通路を有し、これらの通路が前記作動空気ファンの外周部と円周が整列している前記エンドブラケットの内周部からその外周部に向かって延びているバイパスモータアセンブリ。
【請求項１４】
請求項１３記載のバイパスモータアセンブリにおいて、前記通路はこれらの通路が前記少なくともひとつの排出穴に近づくにつれて徐々に拡大しているバイパスモータアセンブリ。
【発明の詳細な説明】
【０００１】
【技術分野】
本発明は、電動機械の技術分野、特に、バイパスモータ／ファンアセンブリの技術分野に属する。より詳細には、本発明は、作動空気が層状の外方下向きの排出流路を用いてもたらされてアセンブリの効率を非常に増大せしめるバイパスモータアセンブリに関する。また、空気取入れ口シールがアセンブリの効率を改善するために設けられる。
【０００２】
【背景技術】
現在、クリーニング設備の多くの部品が水又は湿気にさらされている。特に、事業用クリーナ及びじゅうたん脱水機として知られているような湿式／乾式真空クリーナは、クリーニングされる表面から取り除かれたくずが空気と水との混合体中に載せられている環境内で作動する。水分を載せている空気が真空発生モータに入るのを防止するために、バイパスモータ／ファンアセンブリが典型的にこれらの作動に用いられている。当業者には知られているように、バイパスモータ／ファンアセンブリは、作動空気ファンにより発生させられた作動空気がモータを通過しないでモータから完全に隔離されているアセンブリである。モータそれ自体は独立するモータ冷却空気ファンを有し、このファンが冷却空気をモータの電機子及び磁界に吸い込む。したがって、作動空気とモータ冷却空気とは完全に分離した通路にもたらされ、排出区域で混合する恐れがあることを除いては、混合することはない。モータ冷却ファンと作動空気ファンとの両方が同一のシャフトで作動する間、バイパスモータにおいて、作動空気用チャンバとモータ冷却空気用チャンバとは互いに分離されて区別され、その結果、水分を載せている空気がモータに入ることはない。
【０００３】
過去において、バイパスモータは、典型的に、モータ／ファンシャフトの一端に作動空気ファンを位置させ、作動空気ファンはファンシェル内で回転し、このファンシェルは時にはシュラウドと称されている。ファンシェルは、内部でファンが作動するチャンバを画成する。そして、ファンシェルの一端には空気取入れ口が設けられ、シェルの外周部は複数の間隔を置いて離れている排出穴によって画成されている。空気取入れ口又は穴はクリーニング装置の真空室と連通し、一方排出穴は周囲と連通する。典型的に、ファンシェルは内部でファンが作動するチャンバを画成し、したがってこのチャンバは加圧され、その結果その中の空気は最後にはその進む道を排出穴に見つける。しかしながら、このような形式の構成では、ファンの作動が全く非能率である。
【０００４】
当業者であれば、既知のバイパスモータが非常に非能率であることを認識されよう。すなわち、ファンチャンバの加圧及びファンチャンバからの空気の間接的な排出は、固有的な空気流れの非能率を生じさせるものである。したがって、水分を載せている空気を用いるモータ／ファンアセンブリに使用するために高効率で静かなバイパスモータとするような技術が必要とされる。
【０００５】
このようなバイパスモータを改善するひとつの試みが、米国特許出願番号０９／０７２，０３５（「分離する作動空気通路を有するバイパスモータ／ファンアセンブリ」と題し、本出願の譲受人に譲渡され、かつ本明細書にも参考として述べられている）に開示されている。この出願は、作動空気ファンの底面の下に設けられて、作動空気をファンシェル又はシュラウドの排出穴と整列されている分離及び区別された排出穴を通して外へ動かすようにしたファンエンドブラケットを開示する。これは既知のバイパスモータ／ファンアセンブリより優れている点で重要であるけれども、乱流がまだ発生する。したがって、モータ／ファンアセンブリに使用するためにバイパスモータの効率を改善するような技術がまだ必要とされている。
【０００６】
【発明の開示】
以上の述べた事情に鑑み、本発明の目的は、作動空気が均一の断面の、徐々に拡大するベーンを通して排出され、これにより効率を増大せしめるバイパスモータ／ファンアセンブリを提供することにある。
【０００７】
本発明の他の目的は、作動空気ファンがファンエンドブラケットの複数のベーンにより形成されているファンチャンバ内に支持されていると共に、複数のベーンが作動空気ファンの排出穴に接近して配置されているバイパスモータ／ファンアセンブリを提供することにある。
【０００８】
本発明の更に他の目的は、以上述べたバイパスモータ／ファンアセンブリであって、ベーン間に形成されている通路が徐々に拡大し、それから、空気を環状の集合チャンバに排出せしめ、それから、ファンシュラウドの排出穴を通して外へ排出せしめるバイパスモータ／ファンアセンブリを提供することにある。
【０００９】
本発明の更に他の目的は、ファンシュラウドが対数的な形状の排出区域を形成し、この排出区域が接線排出になるまで大きさが徐々に増大するバイパスモータ／ファンアセンブリを提供することにある。
【００１０】
本発明の更に他の目的は、以上述べたバイパスモータ／ファンアセンブリであって、ファンシュラウドの内面が各ベーンの頂部縁の少なくとも一部分と接触するバイパスモータ／ファンアセンブリを提供することにある。
【００１１】
本発明の更に他の目的は、以上述べたバイパスモータ／ファンアセンブリであって、空気取入れ口シールがシュラウドと作動空気ファンとの間に設けられて、空気が作動空気ファンの中に直接に移行して流入するバイパスモータ／ファンアセンブリを提供することにある。
【００１２】
本発明の以上述べた目的は、バイパスモータアセンブリにおいて、回転可能なシャフトを有するモータと、前記シャフトに取着されている作動空気ファンと、取入れ穴及び少なくともひとつの排出穴を有するシュラウドと、前記シャフトが貫通して延びるシャフト穴を有するエンドブラケットとを包含し、前記エンドブラケットと前記シュラウドとが前記作動空気ファンを部分的に囲み、前記作動空気ファンの回転が空気を前記取入れ穴を通して吸い込んで、前記少なくともひとつの排出穴を通して排出し、かつ前記エンドブラケットが前記作動空気ファンを受け入れるファンチャンバを形成する複数のベーンを有し、前記作動空気ファンにより放出された空気が前記ベーンにより前記少なくともひとつの排出穴に向かうように再指向されるようにしたバイパスモータアセンブリ、により達成される。
【００１３】
本発明の目的は、また、モータファンアセンブリにおいて、回転可能なシャフトが貫通しているエンドブラケットと、取入れ穴及び複数の排出穴を有している共に前記エンドブラケットを囲んでいるシュラウドと、前記回転可能なシャフトに接続されていると共に前記エンドブラケットと前記シュラウドとの間に回転可能に受け入れられ、かつ前記取入れ穴と整列しているファン穴を有している作動空気ファンと、前記シュラウドと前記作動空気ファンとの間に設置されて、前記取入れ穴から前記ファン穴への作動空気の流れを最大にするようにする空気取入れ口シールとを包含しているモータアファンアセンブリ、により達成される。
【００１４】
本発明の目的は、更に、バイパスモータアセンブリにおいて、回転可能なシャフトを有するモータと、前記シャフトに取着されている作動空気ファンと、取入れ穴及び少なくともひとつの排出穴を有するシュラウドと、前記回転可能なシャフトが貫通して延びるシャフト穴を有するエンドブラケットとを包含し、前記エンドブラケットと前記シュラウドとが前記作動空気ファンを部分的に囲み、前記作動空気ファンの回転が空気を前記取入れ穴を通して吸い込んで、前記少なくともひとつの排出穴を通して排出し、かつ前記エンドブラケットが前記作動空気ファンから前記少なくともひとつの排出穴に向かって下向き外方に離れるように傾斜する複数のベーンを有しているバイパスモータアセンブリ、により達成される。
【００１５】
本発明の目的は、更にまた、バイパスモータアセンブリにおいて、回転可能なシャフトを有するモータと、前記シャフトに取着されている作動空気ファンと、取入れ穴及び少なくともひとつの排出穴を有するシュラウドと、前記回転可能なシャフトが貫通して延びるシャフト穴を有するエンドブラケットとを包含し、前記エンドブラケットと前記シュラウドとが前記作動空気ファンを部分的に囲み、前記作動空気ファンの回転が空気を前記取入れ穴を通して吸い込んで、前記少なくともひとつの排出穴を通して排出し、かつ前記エンドブラケットが前記作動空気ファンから前記少なくともひとつの排出穴に向かって下向き外方に離れるように傾斜する複数の通路を有し、これらの通路が前記作動空気ファンの外周部と円周が整列している前記エンドブラケットの内周部からその外周部に向かって延びているバイパスモータアセンブリ、により達成される。
【００１６】
本発明の以上述べた目的及び従来技術よりも優れている本発明の利点（これらの利点は下記の説明から明らかになるであろう）は、以下に述べられていると共に特許請求の範囲に記載されている改良により達成される。
【００１７】
本発明の目的、技術及び構成を完全に理解するために、下記の詳細な説明及び添付図面が次に参照される。
【００１８】
【本発明を実施するために最良の形態】
図面、特に図１〜図４を参照するに、本発明にしたがって作られているバイパスモータ／ファンアセンブリは符号１０により総括的に示されている。アセンブリ１０はモータハウジング１２を包含し、このモータハウジングは電動モータを担持し、この電動モータは従来技術においてよく知られているように電力を受けてシャフト１４を回転せしめる。複数のスタンドオフ１６が、モータハウジング１２の外周部に配設されて、符号２０により総括的に示されている作動空気ファンアセンブリを支持する。これらのスタンドオフ１６は、冷却空気をモータハウジング１２を通して吸い込むことができるようにするために、作動空気ファンアセンブリ２０とハウジング１２との間に隙間２２を形成する。
【００１９】
作動空気ファンアセンブリ２０は３つの主部品、すなわち、符号２４により総括的に示されているディフューザエンドブラケットと、ファン２６と、符号２８により総括的に示されているシュラウドとを包含する。シャフト１４は、ディフューザエンドブラケット２４を貫通して延びて、ファン２６に接続される。シュラウド２８は、エンドブラケット２４と一緒に、ファン２６を部分的に囲む。シュラウド２８は、中央に配設されている空気取入れ穴３０を有し、これにより、作動空気はファン２６内に軸方向に吸い込まれ、それからファン２６が作動空気を半径方向に動かす。
【００２０】
エンドブラケット２４は、外側リム３６を形成するリップ３４を包含する。傾斜肩部３８は、外側リム３６から内側リム４０にまで曲線状に延びている。基部４２が、内側リム４０の中央に配設されている。そして、軸受／シャフト穴４８が基部４２から延びて、軸受スリーブ５０を受け入れ、この軸受スリーブ内にはシャフト１４が支持される。
【００２１】
複数のベーン５２は、内側リム４０から傾斜肩部３８の大部分に沿って半径方向に曲線状に延びている。各ベーン５２は、肩部３８の形状に続く頂部縁５４を有する。換言すれば、頂部縁５４の高さは、肩部３８に関して、実質的に同じ高さのままである。各ベーン５２は、また、内側リム４０付近の前端５６と、外側リム３６付近の後端５８とを有する。各ベーン５２は、更に、ベーン５２と肩部３８との間に滑らかな移行を提供するフィレット６０を有する。２枚の隣接するベーン５２はそれらの間に通路６４を形成し、この通路は内側リムから外側リムに向かう作動空気の流れを徐々に広がりせしめる。後端５８と外側リム３６との間には、シュラウド２０がエンドブラケット２４に取着されると、集合チャンバ６８が形成される。後端５８により形成されている外周部は、シュラウド２８がブラケット２４に取着されると、作動空気ファン２６の外径部とシュラウド２８の内径部との間の中間点まわりに位置されることを認識されよう。前端５６は、基部４２と一緒に、ファンチャンバ４６を形成し、このファンチャンバはファン２６の外周部を受け入れるような大きさとされている。ベーン５２は、ファンチャンバ４６から集合チャンバ６８にまで接線方向に扇形に広がる。
【００２２】
作動空気ファン２６は、平らなディスク７６とテーパしたディスク７８とを包含する。これらのディスク７６及び７８は、従来技術においてよく知られているように、複数の曲線状のファンベーン８０により互いに接続されている。テーパディスク７８は、空気取入れ穴３０と整列させられているファン穴８２を有する。ファンベーン８０は、ディスク７６及び７８の外周部と一緒に、ファン排出穴８４を形成し、これらのファン排出穴はファン２６の外周部のまわりに等しく分配されている。これらの排出穴８４は、集合して、排出区域８６と称することができる。ファン２６は、平らなディスク７６に当接するワッシャ８８とナット９０とによりシャフト１４に取り付けられる。
【００２３】
シュラウド２８は、大体カップの形状とされていると共に、下向きに延びている側壁９６を備えるテーパ板９４を包含する。シュラウド２８はエンドブラケット２４に圧入される。勿論、圧入に代えて、他の固定手段を用いることができる。組み立てられることにより、テーパ板９４とテーパディスク７８とはそれらの間に隙間９７を形成する。側壁９６は、ベーン５２と同じ曲線方向に配向されている複数のシュラウド穴９８を有する。テーパ板９４の下側部は、少なくとも各ベーン５２の前端５６で頂部縁５４と接触するように位置させられている。したがって、各通路６４の少なくとも一部分は完全に囲んだ通路である。前述した構成において、排出区域又は集合チャンバ６８は案内ベーン５８の出口排出区域よりも多少大きい容積部分である。ベーン５８は、ファン２６及びシュラウド２８と同じように、放射状の形で終っている。作動空気がファン２６から排出されると、作動空気は半径方向成分及び直線成分を有し、シュラウド穴９８に向かう一連の環状リングの形で外側リム３６に向かって軸方向に動く。このような”環状リング”の形の空気は、それから、シュラウド穴９８を通して連続して排出される。
【００２４】
理論により拘束されることは欲しないけれども、前端５６は空気を穴９８に向かって動かす作用の約９５％をなすものと考える。ベーンが妨げのない従順な排出を提供することが望まれるけれども、前縁を過ぎたベーン形状はそんなに重要ではない。
【００２５】
次に図５を参照するに、空気取入れ口シールが符号１００により総括的に示されていることを見ることができる。この図５に示される一実施例において、シール１００は複数のリベット１０４によりシュラウド２８に取り付けられているカラー１０２を包含する。カラー１０２は、好適にはナイロンにより作られる。カラー１０２は、空気取入れ穴３０のまわりのシュラウドの下側部に取り付けられている外側フランジ１０６を有する。この外側フランジからは、平らな部分１０８が延びている。また、この平らな部分１０８からはフィンガ１１０が下向きに延びており、このフィンガは、実質的には、作動空気ファン２６のテーパディスク７８と接触する関係にある。組み立てられることにより、カラーは”焼付きされ、その結果フィンガ１１０は可能な限りファン穴８２と接近した関係となる。このようにして、ファンはフィンガのまわりを自由に回転する。しかし、フィンガとファンディスク７８との間の隙間は最小である。
【００２６】
選択的に、図６及び図７に示されるように、空気取入れ口シール１００はシールリング１１６を備えるシュラウド内面１１４を用いることができ、このシールリング１１６はシュラウド内面１１４に取り付けられる。すなわち、シールリング１１６には接着材料１１８が施されており、この接着材料１１８はライナ１２０を取り除くことにより露出される。接着材料は、それから、シュラウド内面１１４に押し付けられる。図６及び図７に見ることができるように、シールリング１１６は空気取入れ穴３０の内径と実質的に等しい内径を有する。好適な実施例においては、シールリング１１６はゴア−テクス  インコーポレイテッド（Ｇｏｒｅ−Ｔｅｘ  Ｉｎｃ．）により製造されている発泡ポリ四フッ化エチレンから作られている。
【００２７】
他の選択的な例において、図８及び図９に示されるように、空気取入れ口シール１００はシュラウド内面１１４と保持リング１３０とを用いることができる。保持リング１３０は、空気取入れ穴３０よりも直径が大きいと共に、フランジ１３２を有する。フランジ１３２は、好適にはスポット溶接により、シュラウド２８に接続される。発泡ポリ四フッ化エチレンの押出し長さであるシールストリップ１３４は、フランジ１３２と空気取入れ穴３０との間に配置される。リップ１３６が空気取入れ穴３０の形成の結果として空気取入れ穴３０のまわりに延びていることを認識されよう。シールストリップ１３４は、リップ１３６とフランジ１３２との間にきちんと適合する。シールストリップを所定位置に保持するために、複数のデテント１３８がフランジ１３２のまわりに設けられている。シールストリップ１３４は、少なくともファンディスク７８と摩擦保合するような大きさとされている。
【００２８】
以上述べたすべての実施例において、シール１００はテーパディスク７８とシュラウド内面１１４との間に形成される隙間９７をかなり減少又は閉じる。換言すれば、シール１００は作動空気が隙間９７に入ることを最小にする。
【００２９】
次に、アセンブリ１０の作用を述べる。一般に、モータハウジング１２内のモータが作動され、シャフト１４を回転せしめる。続いて、シャフト１４がファン２６を回転せしめ、作動空気がファンアセンブリ２０を通して吸い込まれる。作動空気ファンアセンブリ２０に備えられる、作動空気の流動を非常に高める特徴は、空気取入れ口シール１００である。空気取入れ穴３０とファン穴８２との整列は、空気がディスク７６と７８との間の区域に正常に吸い込まれるようにする。シュラウド、特にテーパディスク７８とシュラウド内面１１４との間の区域の乱流を最小にするために、空気取入れ口シール１００はこの区域内に作動空気が直接に入ることを防止する。したがって、作動空気のかなりの部分がファン２６を通して吸い込まれ、ファンとシュラウドとの間の区域にそらされることはない。ファンが回転すると、作動空気はファンベーン８０により捕えられ、排出区域８６の排出穴８４の外へ排出される。
【００３０】
本発明の他の重要な特徴は、複数のベーン５２が内側リム４０及び基部４２と一緒にファンチャンバ４６を形成し、このファンチャンバ４６内でファン２６が回転することである。ベーン５２の前端５６は、排出区域８６のまわりのファン２６の外周まわりに接近して配置されている。実際に、各ベーン５２は排出区域８６の高さと等しい又はこの高さよりも長いようにされている高さの頂部縁５４を有する。したがって、ほとんど、作動空気がファンの排出穴から排出されるや否や、作動空気はそらされて前端５６により捕えられ、隣接するベーン５２とシュラウド９４とにより形成されている通路６４内に受け入れられる。通路６４はそれらの長さの少なくとも一部分がシュラウド２８の下側部により覆われているので、作動空気の運動量は実質的に維持される。作動空気の流れは、それから、徐々に広げられ、傾斜肩部３８に沿って外方下向きに向けられる。等しい半径方向距離の、ベーン５２の後端５８で、作動空気は環状の集合チャンバ６８内に入れられる。そして、作動空気は、このチャンバ６８のまわりを下向きに循環して加圧され、それから、シュラウド穴９８を通してシュラウド２８を出る。
【００３１】
次に図１０を参照するに、本発明の概念の変形が符号２１０により総括的に示されている接線排出バイパスモータ／ファンアセンブリに用いられている。アセンブリ２１０は、前述したアセンブリ１０の多くの同一の構成の特徴を有しており、限定されるものではないが、複数の曲線状ベーン２１４を有するファンエンドブラケット２１２を包含する。前述した他の実施例を同じように、ベーン２１４の一端はファン２６の外周部まわりに接近して配置されているエンドブラケット２１２の外周部は、対数的な形状とされ、大きさが最初の排出区域２１８から徐々に拡大する排出区域２１９を通して接線排出穴２２０にまで増大する。軸方向入口を有するフォーム−フィッティング（ｆｏｒｍ−ｆｉｔｔｉｎｇ）ファンシェル２２１は、エンドブラケット２１２にわたって適合する。前述した他の実施例と同じように、シェル２２１の内面は各ベーンの頂部縁の少なくとも一部分と接触する。このようにして、ベーン２１４間の通路はファンの外周部の近くで部分的に囲まれている。これは、作動空気がファンを出た後の作動空気の運動量を維持するのを大いに助ける。
【００３２】
対数的形状の排出区域は、排出穴から最も遠く離れているベーンから排出穴に最も近いベーンにまで徐々に増大する。例えば、出口区域（穴２２０から最も遠いベーン間の容積）は最初の排出区域２１８を形成する出口区域の約５％をプラスする。続いて隣接する案内ベーン排出の出口区域（プラス約５％）は前述した区域に加えられて、対数的形状を形成する。この形状は、作動空気が穴２２０に向かって有効に動くのを大いに助ける。アセンブリ２１０は、接線排出を除いては、前述したアセンブリ１０とほとんど同一である。アセンブリ２１０には、アセンブリ１００と一緒に用いるために開示された空気取入れ口シールの実施例のいずれかを設けることができる。
【００３３】
上述の説明に基づき、本発明の利点は容易に明らかである。特に、アセンブリ１０，２１０を通して流れる作動空気と干渋する乱流及び無関係な空気流れの量は、かなり減少される。特に、作動空気はファンからこのファンにより生じる圧力を無負荷（アンロード）にする半径方向拡散／集合チャンバへ直接に動かされる。空気は、それから、徐々に速さを遅くされて集合チャンバ６８内に循環され、それから、シュラウド２８の外へ有効に動かされる。空気は穴から去るや否や駆動力のかなりの量を失うものである。したがって、乱流を最小にし効率を増大せしめるために、ファンにより発生させられたときに作動空気をベーンにより即座に捕えることが非常に有効であると決められている。この空気は、それから、徐々に膨張され、その圧力が集合チャンバ内で減少されて、空気をシュラウド穴から外へ集合して付勢せしめる。多くの従来のファンがどこでも２７〜３７％間の効率の作動効率を提供するのに対し、本発明の新規な設計は少なくとも約５０％の効率を有すことを示している。ここで用いられている効率とは、モータ効率及びブロワ効率の関数であり、ファンシュラウド内の乱流／干渋は空気流れ（これを通してモータを駆動させることを生じさせ、またシステム内に熱及び損失を発生せしめる）を非常に減少せしめるものである。本発明において、損失はかなり減少させられ、長寿命のモータアセンブリ及び他の明白な利点を提供する。
【００３４】
以上述べた説明から、本発明の目的は上述した構成によって達成されることがわかったであろう。また、特許法の規定にしたがって本発明の最良の形態の好適な実施例についてのみ詳細に述べたけれども、本発明はこのような特定の実施例に又はこれにより限定されるものではないことを理解されよう。したがって、本発明の真の範囲を認識するためには、特許請求の範囲の記載を参照すべきである。
【図面の簡単な説明】
【図１】
本発明によるファンとハウジングとの構体から成るアセンブリを示す側面図であって、アセンブリが電動モータに取り付けられたときの状態を示し、モータは点線で示されている。
【図２】
モータのシャフトに取り付けられたときのファン／ハウジングアセンブリの一部切欠正面図である。
【図３】
ファンシュラウドの正面図であって、その一部分は点線によって連続して示されている。
【図４】
ファンシュラウドと、作動空気ファンと、エンドブラケットとの組み立て状態を示す断面図である。
【図５】
図３の５−５線に沿うファンハウジングの拡大断面図であって、空気取入れ口シールのための第１の構造を示す。
【図６】
図３に示されるファンハウジングに適用される空気取入れ口シールのための他の実施例の平面図である。
【図７】
ファンハウジングに取り付けられた図６の空気取入れ口シールを示す、図５と同様な拡大断面図である。
【図８】
空気取入れ口シールのための更に他の実施例の拡大断面図である。
【図９】
図８に示されるシールの実施例の平面図である。
【図１０】
接線バイパスモータ／ファンアセンブリの側面図であって、そのカバーシュラウドが一部切欠して示されている。
【符号の説明】
１０    バイパスモータ／ファンアセンブリ
１２    モータハウジング
１４    シャフト
１６    スタンドオフ
２０    作動空気ファンアセンブリ
２２    隙間
２４    ディフューザエンドブラケット
２６    ファン
２８    シュラウド
３０    作動空気取入れ穴
３４    リップ
３６    外側リム
３８    傾斜肩部
４０    内側リム
４２    基部
４８    軸受／シャフト穴
５０    軸受スリーブ
５２    ベーン
５４    頂部縁
５６    前端
５８    後端
６０    フィレット
６４    通路
６８    集合チャンバ
７６    平らなディスク
７８    テーパディスク
８０    ファンベーン
８２    ファン穴
８４    ファン排出穴
８６    排出区域
８８    ワッシャ
９０    ナット
９４    テーパ板
９６    側壁
９７    隙間
９８    シュラウド穴
１００    空気取入れ口シール
１０２    カラー
１０４    リベット
１０６    外側フランジ
１０８    平らな部分
１１０    フィンガ
１１４    シュラウド内面
１１６    シールリング
１３０    保持リング
１３２    フランジ
１３４    シールストリップ
１３６    リップ
２１０    バイパスモータ／ファンアセンブリ
２１２    ファンエンドブラケット
２１４    ベーン
２１８    最初の排出区域
２１９    徐々に拡大する排出区域
２２０    接線排出穴
２２１    ファンシェル
【手続補正２】
【補正対象書類名】図面
【補正対象項目名】図４
【補正方法】変更
【補正の内容】
【図４】
2002195193.tif 000001
【手続補正３】
【補正対象書類名】図面
【補正対象項目名】図５
【補正方法】変更
【補正の内容】
【図５】
2002195193.tif 000002
【手続補正４】
【補正対象書類名】図面
【補正対象項目名】図７
【補正方法】変更
【補正の内容】
【図７】
2002195193.tif 000003
【手続補正５】
【補正対象書類名】図面
【補正対象項目名】図８
【補正方法】変更
【補正の内容】
【図８】
2002195193.tif 000004